(57)【特許請求の範囲】
【請求項１】
時分割複信方式にてアップリンクデータを送信する方法であって、
前記方法は、
ユーザー装置が、無線フレームにおけるサブフレームnによりネットワーク側からの指示情報を受信するステップと、
前記ユーザー装置が、指示情報に基づいてネットワーク側へPUSCHデータを送信する必要があると確定する場合、サブフレームnの後ろの少なくとも１つのアップリンクサブフレームによりPUSCHデータを送信するステップとを備え、
前記無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは、アップリンク、またはダウンリンク伝送ための可変サブフレームであり、かつ前記サブフレームnは、ダウンリンク固定サブフレーム、または特殊サブフレームであり、
前記指示情報は、PHICHにより伝送するフィードバック情報を含み、且つフィードバック情報はNACKであり、
前記ユーザー装置がPUSCHデータを伝送するアップリンクサブフレームを確定することは、
前記サブフレームnがサブフレーム０またはサブフレーム５であり、且つ前記フィードバック情報に対応するPUSCHデータを搬送するサブフレームがサブフレーム４以外及びサブフレーム９以外の他のアップリンクサブフレームであれば、前記ユーザー装置は、時間系列関係に基づいてPUSCHデータを伝送するアップリンクサブフレームを確定する必要があると判定し、
前記サブフレームnがサブフレーム０またはサブフレーム５であり、且つ前記フィードバック情報に対応するPUSCHデータを搬送するサブフレームがサブフレーム４またはサブフレーム９であれば、前記ユーザー装置は、第２固定関係に基づいてPUSCHデータを伝送するアップリンクサブフレームを確定する必要があると確定し、
前記フィードバック情報とPUSCHデータ再送間の時間系列関係は、
前記PUSCHデータを伝送するアップリンクサブフレームがサブフレームn後の第４個サブフレームである関係を含み、
前記第２固定関係は、
前記PUSCHデータを伝送するアップリンクサブフレームがサブフレームn後の第７個サブフレームである関係を含むことを特徴とする時分割複信方式にてアップリンクデータを送信する方法。
【請求項２】
サブフレーム７がアップリンクサブフレームであれば、サブフレーム６は、特殊サブフレームであり、サブフレーム７がダウンリンクサブフレームであれば、サブフレーム６は、ダウンリンクサブフレームであることを特徴とする請求項１に記載の時分割複信方式にてアップリンクデータを送信する方法。
【請求項３】
時分割複信方式にてアップリンクデータを送信するユーザー装置であって、
前記装置は、
無線フレームにおけるサブフレームnによりネットワーク側からの指示情報を受信し、前記無線フレームにおけるサブフレーム０及びサブフレーム５が、ダウンリンク固定サブフレームであり、サブフレーム２が、アップリンク固定サブフレームであり、サブフレーム１が、特殊サブフレームであり、サブフレーム６が、特殊サブフレームまたはダウンリンクサブフレームであり、他のサブフレームが、アップリンク、またはダウンリンク伝送ための可変サブフレームであり、かつ前記サブフレームnが、ダウンリンク固定サブフレーム、または特殊サブフレームである、第１受信モジュールと、
指示情報に基づいてネットワーク側へPUSCHデータを送信する必要があると確定する場合、サブフレームnの後ろの少なくとも１つのアップリンクサブフレームによりPUSCHデータを送信する、第１送信モジュールとを備え、
前記第１送信モジュールは、
前記指示情報がPHICHにより伝送するフィードバック情報を含み、且つフィードバック情報がNACKであれば、サブフレームnと、フィードバック情報に対応するPUSCHデータを搬送するサブフレームに基づき、時間系列関係に基づいてPUSCHデータを伝送するアップリンクサブフレームを確定する必要があると判定する場合、フィードバック情報とPUSCHデータ再送間の時間系列関係に基づいてPUSCHデータを伝送するアップリンクサブフレームを確定し、またはサブフレームnと、フィードバック情報に対応するPUSCHデータを搬送するサブフレームに基づき、第２固定関係に基づいてPUSCHデータを伝送するアップリンクサブフレームを確定する必要があると判定する場合、第２固定関係に基づいてPUSCHデータを伝送するアップリンクサブフレームを確定し、
前記第１送信モジュールは、
前記サブフレームnがサブフレーム０またはサブフレーム５であり、且つ前記フィードバック情報に対応するPUSCHデータを搬送するサブフレームがサブフレーム４以外及びサブフレーム９以外の他のアップリンクサブフレームであれば、時間系列関係に基づいてPUSCHデータを伝送するアップリンクサブフレームを確定する必要があると判定し、
前記サブフレームnがサブフレーム０またはサブフレーム５であり、且つ前記フィードバック情報に対応するPUSCHデータを搬送するサブフレームがサブフレーム４またはサブフレーム９であれば、第２固定関係に基づいてPUSCHデータを伝送するアップリンクサブフレームを確定する必要があると判定し、
前記フィードバック情報とPUSCHデータ再送間の時間系列関係は、
前記PUSCHデータを伝送するアップリンクサブフレームがサブフレームn後の第４個サブフレームである関係を含み、
前記第２固定関係は、
前記PUSCHデータを伝送するアップリンクサブフレームがサブフレームn後の第７個サブフレームである関係を含むことを特徴とする時分割複信方式にてアップリンクデータを送信するユーザー装置。
【請求項４】
サブフレーム７がアップリンクサブフレームである場合、サブフレーム６は特殊サブフレームであり、サブフレーム７がダウンリンクサブフレームである場合、サブフレーム６はダウンリンクサブフレームであることを特徴とする請求項３に記載の時分割複信方式にてアップリンクデータを送信するユーザー装置。
【発明の詳細な説明】
【技術分野】
【０００１】
本発明は無線通信技術分野に関し、特にフィードバック情報の伝送方法、システム及び設備に関する。
【背景技術】
【０００２】
２大複信システムの1つである時分割複信（Time division duplex，TDD）モードは、アップリンク・ダウンリンクにおいて、同一の帯域を利用して、異なる時間間隔において、アップリンク・ダウンリンク信号を伝送することを示す。アップリンク・ダウンリンクの間には、ガード間隔（Guard Period，GP）がある。
【０００３】
ロング・ターム・エボリューション（Long Term Evolution，LTE）TDDシステムのフレーム構造は、図１に示すように、１つの無線フレームの長さは、１０msである。１つのフレームには、特殊サブフレーム及び通常サブフレーム２種類があり、合計で１０個のサブフレームがあり、１つのサブフレームの長さは１msである。特殊サブフレームは、ダウンリンク・パイロット・サブフレーム（Downlink Pilot Slot，DwPTS）と、GPと、アップリンク・パイロット・サブフレーム（Uplink Pilot Slot，UpPTS）との３種類のサブフレームに分けられる。上記ダウンリンク・パイロット・サブフレーム（Downlink Pilot Slot，DwPTS）は、プライマリー同期信号（Primary Synchronization Signal，PSS）、物理ダウンリンク制御信号（Physical Downlink Control Channel，PDCCH）、物理HARQ指示チャネル（Physical HARQ Indication Channel，PHICH）、物理制御フォーマット指示チャネル（Physical Control Format Indication Channel，PCFICH）、物理ダウンリンク共有チャネル（Physical Downlink Shared Channel，PDSCH）などを伝送する。上記GPは、アップリンクとダウンリンク間のガード間隔として用いられる。上記アップリンク・パイロット・サブフレーム（Uplink Pilot Slot，UpPTS）は、サウンディング参照信号（Sounding Reference Signal，SRS）、物理ランダムアクセスチャネル（Physical Random Access Channel，PRACH）等を伝送する。通常サブフレームは、アップリンクサブフレーム及びダウンリンクサブフレームを備え、アップリンク/ダウンリンク制御チャネル及びサービスデータ等を伝送する。サブフレーム０、サブフレーム５及び特殊サブフレームにおけるDwPTSサブフレームは、常にダウンリンク伝送に用いられ、サブフレーム２及び特殊サブフレームにおけるUpPTSサブフレームは、常にアップリンク伝送に用いられる。また、他のサブフレームは、需要によってアップリンク伝送、またはダウンリンク伝送に用いられるように設定する。
【０００４】
TDDシステムにおけるアップリンクとダウンリンク伝送に同一の周波数リソースが利用されており、異なるサブフレームにてアップリンク/ダウンリンク信号を伝送する。通常のTDDシステムには、３Gの時分割複信 - 符号分割多元接続（TD-SCDMA）システム及び４GのTD-LTEシステムが備えられ、止水式（static）、または半止水式（Semi-static）でアップリンク及びダウンリンクサブフレームを区画する。一般的に、ネットワーク計画中に、セルタイプ及び大体のサービス割合によってアップリンク・ダウンリンクサブフレームの割合を確定して維持する。マクロセルの広範囲カバリッジ背景の場合、これは比較的に簡単、かつ効果的な方法である。しかしながら、技術発展と伴い、ますます多くのピコセル（Pico cell）、Home NodeB等低電力基地局は、小局部の小範囲カバリッジの提供に配置されているが、このようなセルには、ユーザー数も少ないし、ユーザーが求めるサービスニーズもずいぶん変わっているため、セルのアップリンク・ダウンリンクサービス割合は、動的に変化しつづける。
【先行技術文献】
【特許文献】
【０００５】
【特許文献１】中国特許出願公開第１０２２３１６６２号明細書
【発明の概要】
【発明が解決しようとする課題】
【０００６】
このような問題を解決するため、本発明は、動的なアップリンク・ダウンリンクサブフレームの割り当て案を提案した。
すなわち、一定の時間周期（例えば、時間周期が１つの無線フレームである）において、ダウンリンク伝送に用いられるサブフレームと、アップリンク伝送に用いられるサブフレームと、特殊サブフレームと、アップリンクまたはダウンリンク伝送に用いられるように柔軟に割り当てる可変サブフレームとの４種類のサブフレームタイプを設定する。
無線フレームに可変サブフレームがあるために、サブフレームのアップリンク・ダウンリンク構成を動的に変化でき、セルのサービスニーズを満足させられる。ただし、現在までに、動的なアップリンク・ダウンリンクサブフレーム構成案のアップリンク・ダウンリンクのハイブリッド自動再送要求（Hybrid Automatic Repeat reQuest，HARQ）に対応する時間系列（time sequence ）関係は、まだ案出されていない。
【０００７】
従い、現在までに、動的なアップリンク・ダウンリンクサブフレーム割り当て案に対応するアップリンク・ダウンリンクHARQ時間系列関係は、まだ確立されていない。
【０００８】
本発明は、かかる点に鑑みてなされたものであり、従来の動的なアップリンク・ダウンリンクサブフレーム割り当て案に対応するためのアップリンク・ダウンリンクHARQ時間系列関係がまだ確立されていない問題を解決するために、時分割複信通信的方法、システム及び装置を提供することを目的とする。
【課題を解決するための手段】
【０００９】
本発明の実施例にかかる時分割複信方式にてアップリンクデータを送信する方法は、ユーザー装置が、無線フレーム中のサブフレームnによりネットワーク側からの的指示情報を受信するステップと、前記ユーザー装置が、指示情報に基づいて、ネットワーク側へPUSCHデータを送信することが必要だと確定する場合、サブフレームnの後ろの少なくとも１つのアップリンクサブフレームによりPUSCHデータを送信するステップとを備え、前記無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレーム、またはダウンリンクサブフレームであり、他のサブフレームは、アップリンク、またはダウンリンク伝送するための可変サブフレームであり、かつ前記サブフレームnは、ダウンリンク固定サブフレーム、または特殊サブフレームである。
【００１０】
本発明の実施例にかかる時分割複信方式にてダウンリンクデータを受信する方法は、ユーザー装置が、無線フレームにおけるサブフレームmによりネットワーク側からのPDSCHデータを受信するステップと、前記ユーザー装置が、フィードバック情報とPDSCHデータ伝送間の時間系列関係に基づき、PDSCHデータに対応するフィードバック情報を搬送するサブフレームを確定し、かつ、確定されたサブフレームによりフィードバック情報を送信するステップとを備え、前記無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレーム、またはダウンリンクサブフレームであり、他のサブフレームは、アップリンクまたはダウンリンク伝送ための可変サブフレームであり、かつ前記サブフレームmは、PDSCHデータを搬送するダウンリンクサブフレームである。
【００１１】
本発明の実施例にかかる時分割複信方式にて指示情報を送信する方法は、ネットワーク 側が、無線フレームにおいて、指示情報を搬送するサブフレームnを確定するステップと、前記ネットワーク側が、サブフレームnによりユーザー装置へ指示情報を送信するステップとを備え、前記無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレーム、またはダウンリンクサブフレームであり、他のサブフレームは、アップリンク、またはダウンリンク伝送ための可変サブフレームであり、かつ前記サブフレームnは、ダウンリンク固定サブフレーム、または特殊サブフレームである。
【００１２】
本発明の実施例にかかる時分割複信方式でユーザ装置からのフィードバッグ情報を受信する方法は、ネットワーク側が、フィードバック情報とPDSCHデータ伝送間の時間系列関係に基づき、無線フレームにおいて、PDSCHデータに対応するフィードバック情報を搬送するサブフレームを確定するステップと、前記ネットワーク側が、確定されたサブフレームによりユーザー装置からのフィードバック情報を受信するステップとを備え、前記無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは、アップリンク、またはダウンリンク伝送ための可変サブフレームである。
【００１３】
本発明の実施例にかかる時分割複信方式にてアップリンクデータを送信するユーザー装置は、無線フレームにおけるサブフレームnによりネットワーク側からの指示情報を受信し、前記無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは、アップリンク、またはダウンリンク伝送ための可変サブフレームであり、かつ前記サブフレームnは、ダウンリンク固定サブフレーム、または特殊サブフレームである第１受信モジュールと、指示情報に基づいてネットワーク側へPUSCHデータを送信する必要があると確定する場合、サブフレームnの後ろの少なくとも１つのアップリンクサブフレームによりPUSCHデータを送信する第１送信モジュールとを備える。
【００１４】
本発明の実施例にかかる時分割複信方式にてダウンリンクデータを受信するユーザー装置は、無線フレームにおけるサブフレームmにより、ネットワーク側からのPDSCHデータを受信し、前記無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは、アップリンク、またはダウンリンク伝送ための可変サブフレームであり、かつ前記サブフレームmは、PDSCHデータを搬送するダウンリンクサブフレームである第２受信モジュールと、フィードバック情報とPDSCHデータ伝送間の時間系列関係に基づき、PDSCHデータに対応するフィードバック情報を搬送するサブフレームを確定し、かつ、確定されたサブフレームによりフィードバック情報を送信する第２送信モジュールとを備える。
【００１５】
本発明の実施例にかかる時分割複信により指示情報を送信するネットワーク側装置は、無線フレームにおいて、指示情報を搬送するサブフレームnを確定し、前記無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは、アップリンク、またはダウンリンク伝送ための可変サブフレームであり、かつ前記サブフレームnは、ダウンリンク固定サブフレーム、または特殊サブフレームである、第１確定モジュールと、サブフレームnによりユーザー装置へ指示情報を送信する、第３送信モジュールとを備える。
【００１６】
本発明の実施例にかかる時分割複信にてユーザ装置からのフィードバックを受信するネットワーク側装置は、フィードバック情報とPDSCHデータ伝送間の時間系列関係に基づき、無線フレームにおいて、PDSCHデータに対応するフィードバック情報を搬送するサブフレームを確定し、前記無線フレームにおけるサブフレーム０及びサブフレーム５が、ダウンリンク固定サブフレームであり、サブフレーム２が、アップリンク固定サブフレームであり、サブフレーム１が、特殊サブフレームであり、サブフレーム６は、特殊サブフレームまたはダウンリンクサブフレームであり、他のサブフレームが、アップリンク、またはダウンリンク伝送ための可変サブフレームであり、かつ前記サブフレームmがダウンリンクサブフレームである、第２確定モジュールと、確定されたサブフレームによりユーザー装置からのフィードバック情報を受信する、第３受信モジュールとを備える。
【００１７】
本発明の実施例にかかる時分割複信通信のシステムは、無線フレームにおけるサブフレームnによりネットワーク側からの指示情報を受信し、指示情報に基づいてネットワーク側へPUSCHデータを送信する必要があると確定する場合、サブフレームnの後ろの少なくとも１つのアップリンクサブフレームによりPUSCHデータを送信する、ユーザー装置と、無線フレームにおいて、指示情報を搬送するサブフレームnを確定し、かつサブフレームnによりユーザー装置へ指示情報を送信する、ネットワーク側装置とを備え、前記無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは、アップリンク、またはダウンリンク伝送ための可変サブフレームであり、かつ前記サブフレームnは、ダウンリンク固定サブフレーム、または特殊サブフレームである。
【００１８】
本発明の実施例にかかる時分割複信通信のシステムは、無線フレームにおけるサブフレームmにより、ネットワーク側からのPDSCHデータを受信し、フィードバック情報とPDSCHデータ伝送間の時間系列関係に基づき、PDSCHデータに対応するフィードバック情報を搬送するサブフレームを確定し、かつ、確定されたサブフレームによりフィードバック情報を送信するユーザー装置と、フィードバック情報とPDSCHデータ伝送間の時間系列関係に基づき、無線フレームにおいて、PDSCHデータに対応するフィードバック情報を搬送するサブフレームmを確定し、かつサブフレームmによりユーザー装置からのフィードバック情報を受信するネットワーク側装置とを備え、前記無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは、アップリンク、またはダウンリンク伝送ための可変サブフレームであり、且つ前記サブフレームmはダウンリンクサブフレームである。
【発明の効果】
【００１９】
本発明の実施例にかかるアップリンクHARQ時間系列関係において、ユーザー装置は、無線フレームにおけるサブフレームnによりネットワーク側からの指示情報を受信し、かつ指示情報に基づいてネットワーク側へPUSCHデータを送信する必要があると確定する場合、サブフレームnの後ろの少なくとも１つのアップリンクサブフレームによりPUSCHデータを送信する。また、本発明の実施例にかかるダウンリンクHARQ時間系列関係において、ユーザー装置は、無線フレームにおけるサブフレームmにより、ネットワーク側からのPDSCHデータを受信し、フィードバック情報とPDSCHデータ伝送間の時間系列関係に基づき、PDSCHデータに対応するフィードバック情報を搬送するサブフレームを確定し、かつ、確定されたサブフレームによりフィードバック情報を送信する。
これにより、従来技術に、動的なアップリンク・ダウンリンク構成のHARQ時間系列関係が確立されていない問題を解決し、動的なTDDシステムは、アップリンク及びダウンリンクデータを送信できるようになる。
【図面の簡単な説明】
【００２０】
【図１】背景技術におけるTD-LTEシステムフレーム構造図である。
【図２Ａ】本発明の実施例にかかる第１種サブフレーム構造図である。
【図２Ｂ】本発明の実施例にかかる第２種サブフレーム構造図である。
【図３】本発明実施例第１種時分割複信通信システム構造図である。
【図４】本発明の実施例にかかるアップリンクHARQ時間系列関係図である。
【図５】本発明の実施例にかかる時分割複信方式にてアップリンクデータを送信するユーザー装置構造図である。
【図６】本発明の実施例時分割複信によりダウンリンクデータを送信するネットワーク側装置構造図である。
【図７】本発明の実施例にかかる時分割複信方式にてアップリンクデータを送信する方法のフローチャートである。
【図８】本発明の実施例時分割複信方式にてダウンリンクデータを送信する方法のフローチャートである。
【図９】本発明の実施例にかかる第２種時分割複信通信システム構造図である。
【図１０】本発明の実施例にかかるダウンリンクHARQ時間系列関係図である。
【図１１】本発明の実施例にかかる時分割複信方式にてダウンリンクデータを受信するユーザー装置構造図である。
【図１２】本発明の実施例にかかる時分割複信にてアップリンクデータを受信するネットワーク側装置構造図である。
【図１３】本発明の実施例にかかる時分割複信方式にてダウンリンクデータを受信する方法のフローチャートである。
【図１４】本発明の実施例にかかる時分割複信方式でアップリンクデータを受信する方法のフローチャートである。
【発明を実施するための形態】
【００２１】
本発明の実施例にかかるユーザー装置は、無線フレームにおけるサブフレームnによりネットワーク側からの指示情報を受信し、かつ指示情報に基づいてネットワーク側へPUSCHデータを送信する必要があると確定する場合、サブフレームnの後ろの少なくとも１つのアップリンクサブフレームによりPUSCHデータを送信する。本発明の実施例にかかるネットワーク側が、無線フレームにおいて、指示情報を搬送するサブフレームnを確定し、かつサブフレームnによりユーザー装置へ指示情報を送信する。これにより、従来技術において、動的なアップリンク・ダウンリンク構成のHARQ時間系列関係が確立されていない問題を解決し、動的なTDDシステムがアップリンク及びダウンリンクデータを伝送できるようにする。
【００２２】
本発明の実施例にかかる無線フレームは、可変サブフレームと、ダウンリンク固定サブフレームと、アップリンク固定サブフレームと、特殊サブフレームとを備える。
ここで、ダウンリンク固定サブフレームは、伝送方向がダウンリンク方向であり、かつ伝送方向が変わらないサブフレームと、特殊サブフレームにおけるダウンリンク・パイロット・タイムスロットである。
アップリンク固定サブフレームは、伝送方向がアップリンク方向であり、かつ伝送方向が変わらないサブフレームである。
可変サブフレームは、伝送方向が変化できるサブフレームである。
また、可変サブフレームは、アップリンク可変サブフレーム及びダウンリンク可変サブフレームをさらに備える。
アップリンク可変サブフレームは、アップリンク伝送のための可変サブフレームであり、ダウンリンク可変サブフレームは、ダウンリンク伝送ための可変サブフレームである。
【００２３】
本発明の実施例にかかる特殊サブフレームにおけるアップリンクパイロット・タイムスロットは、背景技術における特殊サブフレームにおけるアップリンクパイロット・タイムスロットの機能と同一であるために、これ以上説明しない。
【００２４】
本発明の実施例は、TDDシステム（例えば、TD-LTEシステム）に適用できるし、他のサブフレームアップリンク・ダウンリンク構造を動的に調整する必要があるシステムにも適用できる。例えば、TD-SCDMAシステム及びその後のエボリューション・システム、ワイマックス（Worldwide Interoperability for Microwave Access，WiMAX）システム及びその後のエボリューション・システムなどにも適用できる。
【００２５】
より多くのダウンリンクサブフレームをサポートするために、１つの無線フレームにおいて、１つの固定アップリンクサブフレームを設置することができる。即ち、サブフレーム２をアップリンク固定サブフレームとして設置し、サブフレーム０及びサブフレーム５をダウンリンク固定サブフレームとして設置し、サブフレーム１を特殊サブフレームとして設置し、サブフレーム６を特殊サブフレーム、またはダウンリンクサブフレーム（伝送方向がダウンリンクであるサブフレームである）として設置し、他のサブフレームを可変サブフレームとして設置する。
【００２６】
ここで、サブフレーム７がアップリンクサブフレーム（即ち、サブフレーム７が、伝送方向がアップリンクである可変サブフレームであり、即ち、アップリンク可変サブフレームである）である場合、サブフレーム６は、特殊サブフレームである。その無線フレーム構造は、図２Ａに示すようである。
【００２７】
サブフレーム７がダウンリンクサブフレーム（即サブフレーム７は伝送方向がダウンリンクである可変サブフレームであり、即ちダウンリンク可変サブフレームである）である場合、サブフレーム６はダウンリンクサブフレーム（即伝送方向がダウンリンクであるサブフレーム）であり、この場合の無線フレーム構造は図２Bに示すようである。当該フレーム構造において、サポートできるダウンリンク（DL）サブフレームとアップリンク（UL）サブフレームの割合は９:１であるため、動的なTDDシステムにおいて、リソースの適応動的な範囲がさらに大きくなり、サービスの変化に対しよりよく対応するようになる。
【００２８】
本発明の実施例は、図２Ａ及び図２Ｂに示す動的なアップリンク・ダウンリンクサブフレーム構成方式に対して、TDDシステムのアップリンク・ダウンリンクHARQ時間系列関係を提供する。
【００２９】
下記の説明において、まずユーザー装置とネットワーク側の協働を説明し、最後にユーザー装置とネットワーク側での実施を説明するが、ユーザー装置とネットワーク側の協働が必ず必要であるわけではない。実に、ユーザー装置とネットワーク側が、それぞれ独立して実施する際にも、ユーザー装置と、ネットワーク側にそれぞれ存在する問題を解決できる。ただし、二者が協働する際に、効果がさらに優れる。
【００３０】
以下、明細書及び図面を結合して本発明の実施例をさらに詳しく説明する。
【００３１】
図３に示すように、本発明の実施例にかかる第１種時分割複信通信のシステムは、ユーザー装置１０と、ネットワーク側装置２０とを備える。
【００３２】
上記ユーザー装置１０は、無線フレームにおけるサブフレームnによりネットワーク側からの指示情報を受信し、かつ指示情報に基づいてネットワーク側へPUSCHデータを送信する必要があると確定する場合、サブフレームnの後ろの少なくとも１つのアップリンクサブフレームによりPUSCHデータを送信する。
【００３３】
上記ネットワーク側装置２０は、無線フレームにおいて、指示情報を搬送するサブフレームnを確定し、かつサブフレームnによりユーザー装置へ指示情報を送信する。
【００３４】
ここで、無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは、アップリンク、またはダウンリンク伝送ための可変サブフレームであり、かつサブフレームnは、指示情報を搬送するダウンリンク固定サブフレーム、または特殊サブフレームである。
【００３５】
具体的に、サブフレーム７がアップリンクサブフレームである場合、サブフレーム６は特殊サブフレームであり、サブフレーム７がダウンリンクサブフレームである場合、サブフレーム６はダウンリンクサブフレームである。
【００３６】
本発明の実施例にかかる指示情報は、アップリンクスケジューリング（UL grant）情報及び／または物理HARQ指示チャネル（Physical HARQ Indication Channel，PHICH）により伝送するフィードバック情報である。ここで、PHICHにより伝送するフィードバック情報は、PUSCHデータ伝送成功を示すACKフィードバックと、テーブル示PUSCHデータ伝送失敗を示すNACKフィードバックを備える。
【００３７】
これに応じて、ユーザー装置１０は、受信した指示情報がアップリンクスケジューリング情報である場合、ネットワーク側装置２０へPUSCHデータを伝送する必要があると確定する。
【００３８】
もしユーザー装置１０が受信した指示情報がPHICHにより伝送したフィードバック情報であれば、詳しくは以下の２つの場合がある。
フィードバック情報がACKフィードバックである場合、ユーザー装置からネットワーク側装置２０へのPUSCHデータ伝送成功を示し、再送は必要ではない。
フィードバック情報がNACKフィードバックである場合、ユーザー装置からネットワーク側装置２０へのPUSCHデータ伝送失敗を示し、ユーザー装置１０は当該PUSCHデータを再送する必要がある。
【００３９】
以下、分別以指示情報がアップリンクスケジューリング情報を備える、及び指示情報がPHICHにより伝送するフィードバック情報（フィードバック情報がNACKフィードバックである）を備える例を挙げ、ユーザー装置１０とネットワーク側装置２０間のやり取りを詳しく説明する。
【００４０】
〈第１種状況〉  指示情報がアップリンクスケジューリング情報を備える。
【００４１】
ネットワーク側装置２０は、ダウンリンク固定サブフレーム（サブフレーム０、またはサブフレーム５）、または特殊サブフレーム（サブフレーム１またはサブフレーム６）によりユーザー装置１０へアップリンクスケジューリング情報を送信する。
【００４２】
これに応じて、ユーザー装置１０がPUSCHデータを伝送するアップリンクサブフレームを確定し、以下の３つの方式で確定する。
【００４３】
〈方式１〉
ユーザー装置１０は、受信したアップリンクスケジューリング情報に基づき、時間系列関係によりPUSCHデータを伝送するアップリンクサブフレームを確定する必要があると判定する場合、根据アップリンクスケジューリング情報とPUSCHデータ伝送間の時間系列関係に基づいてPUSCHデータを伝送するアップリンクサブフレームを確定する。
【００４４】
実施において、アップリンクスケジューリング情報とPUSCHデータ伝送間の時間系列関係は、以下の関係１及び関係２を含む。
【００４５】
関係１：指示情報を搬送するサブフレームnがサブフレーム０またはサブフレーム５であれば、PUSCHデータを伝送するアップリンクサブフレームは、サブフレームn後の第４個サブフレームである。
【００４６】
関係２：指示情報を搬送するサブフレームnがサブフレーム１またはサブフレーム６であれば、PUSCHデータを伝送するアップリンクサブフレームは、サブフレームn後の第６個サブフレームである。
【００４７】
ここで、アップリンクスケジューリング情報とPUSCHデータ伝送間の時間系列関係は、テーブルで示すこともでき、テーブル１を参照する。
【００４８】
【表１】
0006284590.tif 000002
【００４９】
ここで、kPUSCH-1は、PUSCHデータ伝送とアップリンクスケジューリング情報間に存在するサブフレーム数を示し、nは、アップリンクスケジューリング情報を搬送するサブフレームのインデックスを示し、n+kPUSCHは、サブフレームn後の第kPUSCH個サブフレームを示す。また、サブフレームnは、サブフレーム０、サブフレーム１、サブフレーム５及びサブフレーム６のうちの１つである。
【００５０】
〈方式２〉
ユーザー装置１０は、アップリンクスケジューリング情報に基づき、第１固定関係によりPUSCHデータを伝送するアップリンクサブフレームを確定する必要があると判定する場合、第１固定関係に基づいてPUSCHデータを伝送するアップリンクサブフレームを確定する。
【００５１】
当該第１固定関係は、PUSCHデータを伝送するアップリンクサブフレームがサブフレームn後の第７個サブフレームであることを含む。
【００５２】
〈方式３〉
ユーザー装置１０は、アップリンクスケジューリング情報に基づき、時間系列関係及び第１固定関係によりPUSCHデータを伝送するアップリンクサブフレームを確定する必要があると判定する場合、アップリンクスケジューリング情報及びPUSCHデータ伝送間の時間系列関係に基づいてPUSCHデータを伝送するアップリンクサブフレームを確定し、及び第１固定関係に基づきPUSCHデータを伝送するアップリンクサブフレームを確定する。
【００５３】
これに応じて、ユーザー装置１０は、アップリンクスケジューリング情報及びPUSCHデータ伝送間の時間系列関係に基づいて確定したアップリンクサブフレームと、第１固定関係に基づいて確定したアップリンクサブフレームとにより、PUSCHデータを送信すべきである。
【００５４】
例えば，ユーザー装置１０がサブフレーム０においてネットワーク側装置２０からの指示情報を受信し、かつ指示情報がアップリンクスケジューリング情報とPUSCHデータ伝送間の時間系列関係および第１固定関係に基づいてアップリンクサブフレームをそれぞれ確定するように指示ユーザー装置１０を指示する場合、ユーザー装置１０がアップリンクスケジューリング情報とPUSCHデータ伝送間の時間系列関係に基づいて確定したPUSCHデータを伝送するアップリンクサブフレームは、サブフレーム０後の第４個サブフレームであり、即ち現在無線フレームにおけるサブフレーム４であり、及び第１固定関係に基づいて確定したPUSCHデータを伝送するアップリンクサブフレームがサブフレーム０後の第７個サブフレームであり、即ち現在無線フレームのサブフレーム７である。ユーザー装置１０は、現在無線フレームにおけるサブフレーム４及びサブフレーム７によりPUSCHデータを伝送する必要がある。
【００５５】
実施する際に、ネットワーク側装置２０からユーザー装置１０へのアップリンクスケジューリング情報はユーザー装置確定PUSCHデータを伝送するアップリンクサブフレームを確定する方式を、ユーザー装置に指示する。
【００５６】
例えば、ネットワーク側装置２０は、PUSCHデータを伝送するアップリンクサブフレームを確定する方式を、アップリンクスケジューリング情報におけるUL Indexの２ビットで、ユーザー装置１０に指示する。
【００５７】
例えば、最高ビット（Most Significant Bit，MSB）を１にすれば、アップリンクスケジューリング情報とPUSCHデータ伝送間の時間系列関係に基づいてPUSCHデータを伝送するアップリンクサブフレームを確定することを示す。
最後ビット（Last Significant Bit，LSB）を１にすれば、第１固定関係に基づきPUSCHデータを伝送するアップリンクサブフレーを確定することを示す。
MSB及びLSBを共に１にすれば、アップリンクスケジューリング情報とPUSCHデータ伝送間の時間系列関係、及び第１固定関係に基づいてPUSCHデータを伝送するアップリンクサブフレームをそれぞれ確定することを示す。
【００５８】
ただし、本発明の実施例は上記指示方式に限られず、他のPUSCHデータを伝送するアップリンクサブフレームを確定する方式をユーザー装置１０に指示する方式も、同様に本発明の実施例に適用できる。
【００５９】
〈第２種状況状況〉
指示情報は、PHICHにより伝送するフィードバック情報を備え、かつフィードバック情報はNACKである。
【００６０】
また、ネットワーク側装置２０は、フィードバック情報とPUSCHデータ伝送間の時間系列関係に基づき、サブフレームnを確定する。
【００６１】
実施において、ネットワーク側装置２０は、ユーザー装置１０からのPUSCHデータを受信後、サブフレームnにおいてPHICHによりフィードバック情報を伝送し、ユーザー装置１０にデータ伝送結果を通知する。フィードバック情報がACKフィードバックであれば、伝送成功を意味し、フィードバック情報がNACKフィードバックであれば、伝送失敗を意味する。
【００６２】
実施において、フィードバック情報とPUSCHデータ伝送間の時間系列関係は、下記のような関係を含む。
【００６３】
PUSCHデータを搬送するサブフレームがサブフレーム２またはサブフレーム７であれば、サブフレームnは、PUSCHデータを搬送するサブフレーム後の第４個サブフレームであり、即ち現在無線フレームにおけるサブフレーム６または次の無線フレームにおけるサブフレーム１である。
【００６４】
PUSCHデータを搬送するサブフレームがサブフレーム３またはサブフレーム８であれば、サブフレームnは、PUSCHデータを搬送するサブフレーム後の第７個サブフレームであり、即ち次の無線フレームにおけるサブフレーム０または次の無線フレームにおけるサブフレーム５である。
【００６５】
PUSCHデータを搬送するサブフレームがサブフレーム４またはサブフレーム９であれば、サブフレームnはPUSCHデータを搬送するサブフレーム後の第６個サブフレームであり、即ち次の無線フレームにおけるサブフレーム０または次の無線フレームにおけるサブフレーム５である。
【００６６】
ここで、フィードバック情報とPUSCHデータ伝送間の時間系列関係は、テーブルで示すこともでき、テーブル２を参照する。
【００６７】
【表２】
0006284590.tif 000003
【００６８】
ここで、kPHICH-1は、フィードバック情報とPUSCHデータの間に存在するサブフレーム数を示し、PUSCHデータを搬送するサブフレームは、サブフレーム２、サブフレーム３、サブフレーム４、サブフレーム７、サブフレーム８及びサブフレーム９のうちの１つである。
【００６９】
これに応じて、ユーザー装置１０がネットワーク側装置２０からのフィードバック情報を受信した後にPUSCHデータを伝送するアップリンクサブフレームを確定する方法は、下記方式Ａ及び方式Bを含む。
【００７０】
〈方式Ａ〉
ユーザー装置１０は、サブフレームnと、フィードバック情報に対応するPUSCHデータを搬送するサブフレームに基づき、時間系列関係に基づいてPUSCHデータを伝送するアップリンクサブフレームを確定する必要があると判定する場合、フィードバック情報とPUSCHデータ再送間の時間系列関係に基づいてPUSCHデータを伝送するアップリンクサブフレームを確定する。
【００７１】
実施において、フィードバック情報を搬送するサブフレームnがサブフレーム０またはサブフレーム５であり、かつフィードバック情報に対応するPUSCHデータを搬送するサブフレームがサブフレーム４及びサブフレーム９以外の他のアップリンクサブフレームであれば、ユーザー装置１０は、時間系列関係に基づいてPUSCHデータを伝送するアップリンクサブフレームを確定する必要があると判定する。
【００７２】
実施において、フィードバック情報とPUSCHデータ再送間の時間系列関係は、PUSCHデータを伝送するアップリンクサブフレームがサブフレームn後の第４個サブフレームであることを含む
【００７３】
ここで、フィードバック情報とPUSCHデータ再送間の時間系列関係は、テーブルで示すこともできる。当該時間系列関係は、上記アップリンクスケジューリング情報とPUSCHデータ伝送間の時間系列関係と類似するために、テーブル１を参照ください。ただし、テーブルにおける各パラメータの物理意味が異なっている。kPUSCH-1は、PUSCHデータ再送とフィードバック情報間に存在するサブフレーム数を示し、nはネットワーク側装置２０からのフィードバック情報を搬送するサブフレームのインデックスを示し、n+kPUSCHは、サブフレームn後の第kPUSCH個サブフレームを示す。ここで、サブフレームnは、サブフレーム０、サブフレーム１、サブフレーム５及びサブフレーム６のうちの１つを示す。
【００７４】
これに応じて、ユーザー装置１０は、サブフレームn後の第４個サブフレーム（即ち現在無線フレームにおけるサブフレーム４または現在無線フレームにおけるサブフレーム９である）において、ネットワーク側へPUSCHデータを再送する。
【００７５】
本発明の実施例において、フィードバック情報に対応するPUSCHデータは、フィードバック情報とPUSCHデータ伝送間の時間系列関係に基づいて確定したフィードバック情報に対応するPUSCHデータである。
【００７６】
〈方式B〉
ユーザー装置１０は、サブフレームnと、フィードバック情報に対応するPUSCHデータを搬送するサブフレームに基づき、第２固定関係に基づいてPUSCHデータを伝送するアップリンクサブフレームを確定する必要があると判定する場合、第２固定関係に基づいてPUSCHデータを伝送するアップリンクサブフレームを確定する。
【００７７】
実施において、フィードバック情報を搬送するサブフレームnがサブフレーム０またはサブフレーム５であり、かつフィードバック情報に対応するPUSCHデータを搬送するサブフレームがサブフレーム４またはサブフレーム９であれば、ユーザー装置１０は、第２固定関係に基づいてPUSCHデータを伝送するアップリンクサブフレームを確定する必要があると判定する。
【００７８】
上記第２固定関係は、PUSCHデータを伝送するアップリンクサブフレームがサブフレームn後の第７個サブフレームであることを含む。
【００７９】
これに応じて、ユーザー装置１０は、サブフレームn後の第７個サブフレーム（即ち現在無線フレームにおけるサブフレーム７または次の無線フレームにおけるサブフレーム２である）において、ネットワーク側装置２０へPUSCHデータを再送する。
【００８０】
実施において、ユーザー装置１０は、テーブル２に示すフィードバック情報とPUSCHデータ伝送間の時間系列関係に基づき、フィードバック情報を搬送するサブフレームを確定し、確定したフィードバック情報を搬送するサブフレームにより、対応するフィードバック情報を受信する。
【００８１】
具体的に、PUSCHデータを搬送するサブフレームがサブフレーム２またはサブフレーム７であれば、フィードバック情報を搬送するサブフレームは、PUSCHデータを搬送するサブフレーム後の第４個サブフレームであり、即ち現在無線フレームにおけるサブフレーム６または次の無線フレームにおけるサブフレーム１である。
【００８２】
PUSCHデータを搬送するサブフレームがサブフレーム３またはサブフレーム８であれば、フィードバック情報を搬送するサブフレームは、PUSCHデータを搬送するサブフレーム後の第７個サブフレームであり、即ち次の無線フレームにおけるサブフレーム０または次の無線フレームにおけるサブフレーム５である。
【００８３】
PUSCHデータを搬送するサブフレームがサブフレーム４またはサブフレーム９であれば、フィードバック情報を搬送するサブフレームは、PUSCHデータを搬送するサブフレーム後の第６個サブフレームであり、即ち次の無線フレームにおけるサブフレーム０または次の無線フレームにおけるサブフレーム５である。
【００８４】
ユーザー装置１０が受信した指示情報がアップリンクスケジューリング情報のみを含めば、ユーザー装置１０は、上記方式１、方式２または方式３によりPUSCHデータを伝送するアップリンクサブフレームを確定する。
【００８５】
ユーザー装置１０が受信した指示情報がPHICHにより伝送するフィードバック情報のみを含み、かつフィードバック情報がNACKであれば、ユーザー装置１０は、上記方式Aまたは方式BによりPUSCHデータを伝送するアップリンクサブフレームを確定する。
【００８６】
ユーザー装置１０が受信した指示情報がアップリンクスケジューリング情報及びPHICHにより伝送したフィードバック情報を含み、かつフィードバック情報がNACKであれば、第１種情况及び第２種情况をさらに含む。
【００８７】
第１種情况：
サブフレーム０またはサブフレーム５において受信したアップリンクスケジューリング情報がPHICHにより伝送したフィードバック情報の指示内容が一致（例えば、アップリンクスケジューリング情報が時間系列関係に基づいてPUSCHデータを伝送するアップリンクサブフレームを確定することをユーザー装置１０に指示し、且つフィードバック情報に対応するPUSCHデータを搬送するサブフレームは、サブフレーム４及びサブフレーム９以外の他のアップリンクサブフレームである。また、アップリンクスケジューリング情報が第１固定関係に基づいてPUSCHデータを伝送するアップリンクサブフレームを確定することをユーザー装置１０に指示し、フィードバック情報に対応するPUSCHデータを搬送するサブフレームがサブフレーム４またはサブフレーム９である）であれば、ユーザー装置１０は、指示情報に基づいてPUSCHデータを伝送するアップリンクサブフレームを確定する。
【００８８】
第２種情况：
サブフレーム０またはサブフレーム５において受信したアップリンクスケジューリング情報がPHICHにより伝送したフィードバック情報の指示内容が一致していなければ（例えば、アップリンクスケジューリング情報が、時間系列関係に基づいてPUSCHデータを伝送するアップリンクサブフレームを確定することをユーザー装置１０に指示するが、フィードバック情報に対応するPUSCHデータを搬送するサブフレームは、サブフレーム４またはサブフレーム９である。また、アップリンクスケジューリング情報が、第１固定関係に基づいてPUSCHデータを伝送するアップリンクサブフレームを確定することをユーザー装置１０に指示するが、フィードバック情報に対応するPUSCHデータを搬送するサブフレームは、サブフレーム４またはサブフレーム９以外の他のアップリンクサブフレームである）、ユーザー装置１０は、アップリンクスケジューリング情報に含む指示方式によりPUSCHデータを伝送するアップリンクサブフレームを確定する。
【００８９】
本発明の実施例にかかる動的なTDDシステムのアップリンクHARQ時間系列関係は図４に示すように、本発明の実施例にかかる動的なTDDシステムの後方互換性をサポートするために、即ち、可変サブフレームをサポートしないユーザー装置のアクセスを認める。例えば、LTE Rel-８/９/１０リリース等のユーザー装置、ネットワーク側装置２０は、特定ユーザー装置（即ち可変サブフレームをサポートしないユーザー装置）へのアップリンク・ダウンリンク構造のプロセスから、フィードバック情報とPUSCHデータ伝送間の時間系列関係を含むプロセスを選択して、特定ユーザー装置に対してスケジューリングする。
【００９０】
実施において、ネットワーク側装置２０は、特定ユーザー装置に１種のアップリンク・ダウンリンク構成方式をブロードキャストし、かつ当該アップリンク・ダウンリンク構成方式に基づいて、本発明の実施例にかかる動的なTDDシステムアップリンク・ダウンリンクHARQプロセスと同一時間系列関係を有するプロセスで、当該特定ユーザー装置をスケジューリングする。
【００９１】
従来の構成方式#０のプロセスは、本発明の実施例にかかる動的なTDDシステムプロセス（図４を参照）と完全に一致する時間系列関係を有するために、ネットワーク側装置２０が特定ユーザー装置にアップリンク・ダウンリンク構成０を割り当てることが好ましい。
【００９２】
具体的に、ネットワーク側装置２０が、現在システム構成がアップリンク・ダウンリンク構成方式#０であることを特定ユーザー装置にブロードキャストすることにより、ネットワーク側装置２０が全部のアップリンクHARQプロセスで特定ユーザー装置スケジューリングできるようになる。
【００９３】
また、同一の発明思想に基づいて、本発明の実施例は、時分割複信方式にてアップリンクデータを送信するユーザー装置を提供する。当該ユーザー装置の課題解決原理は図３に示すシステムにおけるユーザー装置１０と類似するため、当該ユーザー装置の実施は図３に示すシステムにおけるユーザー装置１０の実施を参照し、これ以上説明しない。
【００９４】
図５に示すように、本発明の実施例にかかる時分割複信方式にてアップリンクデータを送信するユーザー装置は、第１受信モジュール１００と、第１送信モジュール１１０とを備える。
【００９５】
上記第１受信モジュール１００は、無線フレームにおけるサブフレームnによりネットワーク側からの指示情報を受信する。
ここで、無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは、アップリンク、またはダウンリンク伝送ための可変サブフレームであり、かつサブフレームnはダウンリンク固定サブフレームまたは特殊サブフレームである。
【００９６】
サブフレーム７がアップリンクサブフレームである場合、サブフレーム６は、特殊サブフレームであり、サブフレーム７がダウンリンクサブフレームである場合、サブフレーム６はダウンリンクサブフレームである。
【００９７】
指示情報は、アップリンクスケジューリング情報及び/またはPHICHにより伝送するフィードバック情報を含む。
【００９８】
上記第１送信モジュール１１０は、指示情報に基づいてネットワーク側へPUSCHデータを送信する必要があると確定する場合、サブフレームnの後ろの少なくとも１つのアップリンクサブフレームによりPUSCHデータを送信する。
【００９９】
実施において、第１送信モジュール１１０は、指示情報がアップリンクスケジューリング情報を含めば、アップリンクスケジューリング情報時間系列関係に基づいてPUSCHデータを伝送するアップリンクサブフレームを確定する必要があると判定する場合、アップリンクスケジューリング情報とPUSCHデータ伝送間の時間系列関係に基づいて、PUSCHデータを伝送するアップリンクサブフレームを確定する。
または、第１送信モジュール１１０は、アップリンクスケジューリング情報に基づき、第１固定関係に基づいてPUSCHデータを伝送するアップリンクサブフレームを確定する必要があると判定する場合、第１固定関係に基づいてPUSCHデータを伝送するアップリンクサブフレームを確定する。
または、第１送信モジュール１１０は、アップリンクスケジューリング情報に基づき、時間系列関係及び第１固定関係に基づいてPUSCHデータを伝送するアップリンクサブフレームを確定する必要があると判定する場合、アップリンクスケジューリング情報とPUSCHデータ伝送間の時間系列関係に基づいてPUSCHデータを伝送するアップリンクサブフレームを確定し、及び第１固定関係に基づいてPUSCHデータを伝送するアップリンクサブフレームを確定する。
【０１００】
ここで、アップリンクスケジューリング情報とPUSCHデータ伝送間の時間系列関係は、サブフレームnがサブフレーム０またはサブフレーム５であれば、PUSCHデータを伝送するアップリンクサブフレームがサブフレームn後の第４個サブフレームである関係と、サブフレームnがサブフレーム１またはサブフレーム６であれば、PUSCHデータを伝送するアップリンクサブフレームがサブフレームn後の第６個サブフレームである関係とを含む。
【０１０１】
第１固定関係は、PUSCHデータを伝送するアップリンクサブフレームがサブフレームn後の第７個サブフレームである関係である。
【０１０２】
実施において、第１送信モジュール１１０は、指示情報がPHICHにより伝送するフィードバック情報を含み、かつフィードバック情報がNACKであれば、サブフレームnと、フィードバック情報に対応するPUSCHデータを搬送するサブフレームに基づき、時間系列関係に基づいてPUSCHデータを伝送するアップリンクサブフレームを確定する必要があると判定する場合、フィードバック情報とPUSCHデータ再送間の時間系列関係に基づいてPUSCHデータを伝送するアップリンクサブフレームを確定する。
または、サブフレームnと、フィードバック情報に対応するPUSCHデータを搬送するサブフレームに基づき、第２固定関係に基づいてPUSCHデータを伝送するアップリンクサブフレームを確定する必要があると判定する場合、第２固定関係に基づいてPUSCHデータを伝送するアップリンクサブフレームを確定する。
【０１０３】
具体的に、第１送信モジュール１１０は、サブフレームnがサブフレーム０またはサブフレーム５であり、かつフィードバック情報に対応するPUSCHデータを搬送するサブフレームがサブフレーム４及びサブフレーム９以外の他のアップリンクサブフレームであれば、時間系列関係に基づいてPUSCHデータを伝送するアップリンクサブフレームを確定する必要があると判定する。
また、サブフレームnがサブフレーム０またはサブフレーム５であり、かつフィードバック情報に対応するPUSCHデータを搬送するサブフレームがサブフレーム４またはサブフレーム９であれば、第２固定関係に基づいてPUSCHデータを伝送するアップリンクサブフレームを確定する必要があると判定する。
【０１０４】
ここで、フィードバック情報とPUSCHデータ再送間の時間系列関係は、PUSCHデータを伝送するアップリンクサブフレームがサブフレームn後の第４個サブフレームである関係を含む。
【０１０５】
第２固定関係は、PUSCHデータを伝送するアップリンクサブフレームがサブフレームn後の第７個サブフレームである関係を含む。
【０１０６】
実施において、第１受信モジュール１００は、フィードバック情報とPUSCHデータ伝送間の時間系列関係に基づき、フィードバック情報を搬送するサブフレームを確定し、また、確定したフィードバック情報を搬送するサブフレームにおいてPUSCHデータに対応するフィードバック情報を受信する。
【０１０７】
ここで、フィードバック情報とPUSCHデータ伝送間の時間系列関係は、PUSCHデータを搬送するサブフレームがサブフレーム２またはサブフレーム７であれば、フィードバック情報を搬送するサブフレームがPUSCHデータを搬送するサブフレーム後の第４個サブフレームである関係と、PUSCHデータを搬送するサブフレームがサブフレーム３またはサブフレーム８であれば、フィードバック情報を搬送するサブフレームがPUSCHデータを搬送するサブフレーム後の第７個サブフレームである関係と、
PUSCHデータを搬送するサブフレームがサブフレーム４またはサブフレーム９であれば、フィードバック情報を搬送するサブフレームがPUSCHデータを搬送するサブフレーム後の第６個サブフレームである関係とを含む。
【０１０８】
また、同一の発明思想をベースとして、本発明の実施例は、時分割複信によりダウンリンクデータを送信するネットワーク側装置を提供する。当該ネットワーク側装置の課題解決原理は図３に示すシステムにおけるネットワーク側装置２０と類似するため、当該ネットワーク側装置の実施は図３に示すシステムにおけるネットワーク側装置２０の実施を参照することができ、この以上説明しない。
【０１０９】
図６に説明するように、本発明の実施例にかかる時分割複信によりダウンリンクデータを送信するネットワーク側装置は、第１確定モジュール２００と、第３送信モジュール２１０と、第１交換モジュール２２０とを備える。
【０１１０】
上記第１確定モジュール２００は、無線フレームにおいて、指示情報を搬送するサブフレームnを確定する。ここで、無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは、アップリンク、またはダウンリンク伝送ための可変サブフレームであり、かつサブフレームnは、ダウンリンク固定サブフレームまたは特殊サブフレームである。
【０１１１】
サブフレーム７がアップリンクサブフレームであれば、サブフレーム６は、特殊サブフレームであり、サブフレーム７がダウンリンクサブフレームであれば、サブフレーム６は、ダウンリンクサブフレームである。
【０１１２】
上記指示情報は、アップリンクスケジューリング情報及び/またはPHICHにより伝送するフィードバック情報を含む。
【０１１３】
上記第３送信モジュール２１０は、サブフレームnによりユーザー装置へ指示情報を送信する。
【０１１４】
実施において、上記第１確定モジュール２００は、指示情報にPHICHにより伝送するフィードバック情報が含まれる場合、フィードバック情報とPUSCHデータ伝送間の時間系列関係に基づき、サブフレームnを確定する。
【０１１５】
ここで、フィードバック情報とPUSCHデータ伝送間の時間系列関係は、PUSCHデータを搬送するサブフレームがサブフレーム２またはサブフレーム７であれば、サブフレームnがPUSCHデータを搬送するサブフレーム後の第４個サブフレームである関係と、PUSCHデータを搬送するサブフレームがサブフレーム３またはサブフレーム８であれば、サブフレームnがPUSCHデータを搬送するサブフレーム後の第７個サブフレームである関係と、PUSCHデータを搬送するサブフレームがサブフレーム４またはサブフレーム９であれば、サブフレームnがPUSCHデータを搬送するサブフレーム後の第６個サブフレームである関係とを含む。
【０１１６】
本発明の実施例にかかる動的なTDDシステムが後方交換性をサポートするため、本発明の実施例第１種ネットワーク側装置は、特定ユーザー装置に割り当てるアップリンク・ダウンリンク構成のプロセスから、フィードバック情報とPUSCHデータ伝送間の時間系列関係のプロセスを選出して特定ユーザー装置に対してスケジューリングする第１交換モジュール２２０をさらに備える。
【０１１７】
また、特定ユーザー装置は、可変サブフレームのユーザー装置をサポートしない。
【０１１８】
好ましくは、第１交換モジュール２２０は、特定ユーザー装置にアップリンク・ダウンリンク構成０を割り当てる。
【０１１９】
同一発明思想にベースして、本発明の実施例は、時分割複信方式にてアップリンクデータを送信する方法をさらに提供する。当該方法の課題解決原理は図３に示すシステムにおけるユーザー装置１０と類似するため、当該方法の実施は、図３に示すシステムにおけるユーザー装置１０の実施を参照することができ、これ以上説明しない。
【０１２０】
図７に示すように、本発明の実施例にかかる時分割複信方式にてアップリンクデータを送信する方法は、ステップ７０１と、ステップ７０２とを備える。
【０１２１】
上記ステップ７０１において、ユーザー装置は、無線フレームにおけるサブフレームnによりネットワーク側からの指示情報を受信する。ここで、サブフレームnは、指示情報を搬送するダウンリンク固定サブフレームまたは特殊サブフレームである。
【０１２２】
また、無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは、アップリンク、またはダウンリンク伝送ための可変サブフレームである。
【０１２３】
具体的に、サブフレーム７がアップリンクサブフレームである場合、サブフレーム６は、特殊サブフレームであり、サブフレーム７がダウンリンクサブフレームである場合、サブフレーム６は、ダウンリンクサブフレームである。
【０１２４】
実施において、ユーザー装置は、無線フレームにおけるサブフレームnにより受信したネットワーク側からの指示情報は、アップリンクスケジューリング情報及び/またはPHICHにより伝送するフィードバック情報である。ここで、PHICHにより伝送するフィードバック情報は、伝送成功を示すACKフィードバックと、伝送失敗を示すNACKフィードバックを備える。
【０１２５】
上記ステップ７０２において、ユーザー装置は、当該指示情報に基づいてネットワーク側へPUSCHデータを送信する必要があると確定する場合、サブフレームnの後ろの少なくとも１つのアップリンクサブフレームによりPUSCHデータを送信する。
【０１２６】
具体的に、ユーザー装置が受信した指示情報がアップリンクスケジューリング情報であれば、ユーザー装置は、ネットワーク側へPUSCHデータを送信する必要があると確定する。
また、ユーザー装置が受信した指示情報がPHICHにより伝送するフィードバック情報であれば、２つの場合に分けて考えなければならない。
フィードバック情報がACKフィードバックであれば、ユーザー装置からネットワーク側へのPUSCHデータ伝送成功をしめすために、再送が必要ではない。
フィードバック情報がNACKフィードバックであれば、ユーザー装置からネットワーク側へのPUSCHデータ伝送失敗を示すため、ユーザー装置は、PUSCHデータを再送する必要がある。
【０１２７】
上記ステップ７０２において、ユーザー装置は、ネットワーク側へPUSCHデータを送信する必要があると確定する場合、サブフレームn後のアップリンクサブフレームから、PUSCHデータを伝送するアップリンクサブフレームを少なくとも１つを確定し、かつ確定したアップリンクサブフレームによりPUSCHデータを送信する。
【０１２８】
実施において、指示情報がアップリンクスケジューリング情報を含めば、ユーザー装置がPUSCHデータを伝送するアップリンクサブフレームを確定することは、ユーザー装置がアップリンクスケジューリング情報時間系列関係に基づいてPUSCHデータを伝送するアップリンクサブフレームを確定する必要があると判定する場合、アップリンクスケジューリング情報とPUSCHデータ伝送間の時間系列関係に基づいてPUSCHデータを伝送するアップリンクサブフレームを確定することと、ユーザー装置がアップリンクスケジューリング情報に基づいて第１固定関係によりPUSCHデータを伝送するアップリンクサブフレームを確定する必要があると判定する場合、第１固定関係に基づいてPUSCHデータを伝送するアップリンクサブフレームを確定することと、ユーザー装置がアップリンクスケジューリング情報に基づいて時間系列関係及び第１固定関係によりPUSCHデータを伝送するアップリンクサブフレームを確定する必要があると判定する場合、アップリンクスケジューリング情報とPUSCHデータ伝送間の時間系列関係に基づいてPUSCHデータを伝送するアップリンクサブフレームを確定し、及び第１固定関係に基づいてPUSCHデータを伝送するアップリンクサブフレームを確定することとを備える。
【０１２９】
ここで、アップリンクスケジューリング情報とPUSCHデータ伝送間の時間系列関係は、サブフレームnがサブフレーム０またはサブフレーム５であれば、PUSCHデータを伝送するアップリンクサブフレームがサブフレームn後の第４個サブフレームである関係と、サブフレームnがサブフレーム１またはサブフレーム６であれば、PUSCHデータを伝送するアップリンクサブフレームがサブフレームn後の第６個サブフレームである関係とを含む。
【０１３０】
第１固定関係包括：
PUSCHデータを伝送するアップリンクサブフレームがサブフレームn後の第７個サブフレームである。
【０１３１】
指示情報がPHICHにより伝送するフィードバック情報を含め、かつフィードバック情報がNACKであれば、ユーザー装置PUSCHデータを伝送するアップリンクサブフレームを確定することは、ユーザー装置が、サブフレームnと、フィードバック情報に対応するPUSCHデータを搬送するサブフレームに基づき、時間系列関係に基づいてPUSCHデータを伝送するアップリンクサブフレームを確定する必要があると判定する場合、フィードバック情報とPUSCHデータ再送間の時間系列関係に基づいてPUSCHデータを伝送するアップリンクサブフレームを確定することと、ユーザー装置が、サブフレームnと、フィードバック情報に対応するPUSCHデータを搬送するサブフレームに基づき、第２固定関係に基づいてPUSCHデータを伝送するアップリンクサブフレームを確定する必要があると判定する場合、第２固定関係に基づいてPUSCHデータを伝送するアップリンクサブフレームを確定することとを備える。
【０１３２】
具体的に、ユーザー装置下記のように、時間系列関係に基づいてPUSCHデータを伝送するアップリンクサブフレームを確定する必要があると判定する。
【０１３３】
サブフレームnがサブフレーム０またはサブフレーム５であり、かつフィードバック情報に対応するPUSCHデータを搬送するサブフレームがサブフレーム４及びサブフレーム９以外の他のアップリンクサブフレームであれば、ユーザー装置は、時間系列関係に基づいてPUSCHデータを伝送するアップリンクサブフレームを確定する必要があると判定する。
【０１３４】
ユーザー装置は、下記のように第２固定関係に基づいてPUSCHデータを伝送するアップリンクサブフレームを確定する必要があると判定する。
【０１３５】
サブフレームnがサブフレーム０またはサブフレーム５であり、かつフィードバック情報に対応するPUSCHデータを搬送するサブフレームがサブフレーム４またはサブフレーム９であれば、ユーザー装置は、第２固定関係に基づいてPUSCHデータを伝送するアップリンクサブフレームを確定する必要があると判定する。
【０１３６】
ここで、フィードバック情報とPUSCHデータ再送間の時間系列関係は、PUSCHデータを伝送するアップリンクサブフレームがサブフレームn後の第４個サブフレームである関係を含む。
【０１３７】
第２固定関係は、PUSCHデータを伝送するアップリンクサブフレームがサブフレームn後の第７個サブフレームである関係を含む。
【０１３８】
実施において、ユーザー装置は、下記のように、PUSCHデータに対応するフィードバック情報を受信する。
ユーザー装置は、フィードバック情報とPUSCHデータ伝送間の時間系列関係に基づき、フィードバック情報を搬送するサブフレームを確定する。そして、ユーザー装置は、確定したフィードバック情報を搬送するサブフレームにおいてPUSCHデータに対応するフィードバック情報を受信する。
【０１３９】
ここで、フィードバック情報とPUSCHデータ伝送間の時間系列関係は、PUSCHデータを搬送するサブフレームがサブフレーム２またはサブフレーム７であれば、フィードバック情報を搬送するサブフレームが、PUSCHデータを搬送するサブフレーム後の第４個サブフレームである関係と、PUSCHデータを搬送するサブフレームがサブフレーム３またはサブフレーム８であれば、フィードバック情報を搬送するサブフレームが、PUSCHデータを搬送するサブフレーム後の第７個サブフレームである関係と、PUSCHデータを搬送するサブフレームがサブフレーム４またはサブフレーム９であれば、フィードバック情報を搬送するサブフレームが、PUSCHデータを搬送するサブフレーム後の第６個サブフレームである関係とを備える。
【０１４０】
また、同一の発明思想に基づいて、本発明の実施例は、時分割複信方式にてダウンリンクデータを送信する方法を提供する。当該方法の課題解決原理は図３に示すシステムにおけるネットワーク側装置２０と類似するため、当該方法の実施は図３に示すシステムにおけるネットワーク側装置２０の実施を参照ください。これ以上説明しない。
【０１４１】
図８に示すように、本発明の実施例にかかる時分割複信方式にてダウンリンクデータを送信する方法は、ステップ８０１と、ステップ８０２とを備える。
【０１４２】
上記ステップ８０１において、ネットワーク側が、無線フレームにおいて、指示情報を搬送するサブフレームnを確定する。ここで、無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは、アップリンク、またはダウンリンク伝送ための可変サブフレームであり、かつサブフレームnは、ダウンリンク固定サブフレームまたは特殊サブフレームである。
【０１４３】
また、サブフレーム７がアップリンクサブフレームであれば、サブフレーム６は特殊サブフレームであり、サブフレーム７がダウンリンクサブフレームであれば、サブフレーム６はダウンリンクサブフレームである。
【０１４４】
指示情報は、アップリンクスケジューリング情報及び/またはPHICHにより伝送するフィードバック情報を含む。
【０１４５】
上記ステップ８０２において、ネットワーク側は、サブフレームnによりユーザー装置へ指示情報を送信する。
【０１４６】
実施において、指示情報にPHICHにより伝送するフィードバック情報が含まれば、ステップ８０１におけるネットワーク側が、無線フレームにおいて、指示情報を搬送するサブフレームnを確定することは、ネットワーク側がフィードバック情報とPUSCHデータ伝送間の時間系列関係に基づき、サブフレームnを確定することを含む。
【０１４７】
ここで、フィードバック情報とPUSCHデータ伝送間の時間系列関係は、PUSCHデータを搬送するサブフレームがサブフレーム２またはサブフレーム７であれば、サブフレームnがPUSCHデータを搬送するサブフレーム後の第４個サブフレームである関係と、PUSCHデータを搬送するサブフレームがサブフレーム３またはサブフレーム８であれば、サブフレームnがPUSCHデータを搬送するサブフレーム後の第７個サブフレームである関係と、PUSCHデータを搬送するサブフレームがサブフレーム４またはサブフレーム９であれば、サブフレームnが、PUSCHデータを搬送するサブフレーム後の第６個サブフレームである関係とを含む。
【０１４８】
本発明の実施例にかかる時分割複信方式にてダウンリンクデータを送信する方法は、ネットワーク側が、特定ユーザー装置に割り当てるアップリンク・ダウンリンク構成のプロセスから、フィードバック情報とPUSCHデータ伝送間の時間系列関係が含まれるプロセスを選出して特定ユーザー装置に対してスケジューリングする。
【０１４９】
ここで、特定ユーザー装置は、可変サブフレームをサポートしないユーザー装置である。
【０１５０】
好ましくは、ネットワーク側は、特定ユーザー装置にアップリンク・ダウンリンク構成０を割り当てる。
【０１５１】
図９に示すように、本発明の実施例にかかる第２種時分割複信通信のシステムは、ユーザー装置３０と、ネットワーク側装置４０とを備える。
【０１５２】
上記ユーザー装置３０は、無線フレームにおけるサブフレームmにより、ネットワーク側からのPDSCHデータを受信し、フィードバック情報とPDSCHデータ伝送間の時間系列関係に基づき、PDSCHデータに対応するフィードバック情報を搬送するサブフレームを確定し、かつ、確定されたサブフレームによりフィードバック情報を送信する。
【０１５３】
ここで、無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは、アップリンク、またはダウンリンク伝送ための可変サブフレームであり、かつサブフレームmは、PDSCHデータを搬送するダウンリンクサブフレーム（即ち、無線フレームにおける伝送方向がダウンリンクであるサブフレームである）である。
【０１５４】
上記ネットワーク側装置４０は、フィードバック情報とPDSCHデータ伝送間の時間系列関係に基づき、無線フレームにおいて、PDSCHデータに対応するフィードバック情報を搬送するサブフレームを確定し、確定したサブフレームによりユーザー装置３０からのフィードバック情報を受信する。
【０１５５】
実施において、ネットワーク側装置４０は、無線フレームにおけるPDSCHデータを搬送するサブフレーム（サブフレームmに設定する）によりユーザー装置３０へPDSCHデータを送信し、ユーザー装置３０は、無線フレームにおけるサブフレームmによりPDSCHデータを受信後に、フィードバック情報とPDSCHデータ伝送間の時間系列関係に基づき、PDSCHデータに対応するフィードバック情報を搬送するサブフレームを確定し、かつ当該サブフレームによりフィードバック情報を送信する。
【０１５６】
ここで、ユーザー装置３０が発送したフィードバック情報は、PDSCHデータ伝送成功を示すACKフィードバックと、PDSCHデータ伝送失敗を示すNACKフィードバックを含む。
【０１５７】
実施において、フィードバック情報とPDSCHデータ伝送間の時間系列関係は、サブフレームmがサブフレーム０であれば、フィードバック情報を搬送するサブフレームは、サブフレームm後の第１２個サブフレームであり、即ち次の無線フレームにおけるサブフレーム２である関係と、サブフレームmがサブフレーム１であれば、フィードバック情報を搬送するサブフレームは、サブフレームm後の第１１個サブフレームであり、即ち次の無線フレームにおけるサブフレーム２である関係と、サブフレームmがサブフレーム３であれば、フィードバック情報を搬送するサブフレームは、サブフレームm後の第９個サブフレームであり、即ち次の無線フレームにおけるサブフレーム２である関係と、サブフレームmがサブフレーム４であれば、フィードバック情報を搬送するサブフレームは、サブフレームm後の第８個サブフレームであり、即ち次の無線フレームにおけるサブフレーム２である関係と、サブフレームmがサブフレーム５であれば、フィードバック情報を搬送するサブフレームはサブフレームm後の第７個サブフレームであり、即ち次の無線フレームにおけるサブフレーム２である関係と、サブフレームmがサブフレーム６であれば、フィードバック情報を搬送するサブフレームはサブフレームm後の第６個サブフレームであり、即ち次の無線フレームにおけるサブフレーム２である関係と、サブフレームmがサブフレーム７であれば、フィードバック情報を搬送するサブフレームはサブフレームm後の第５個サブフレームであり、即ち次の無線フレームにおけるサブフレーム２である関係と、サブフレームmがサブフレーム８であれば、フィードバック情報を搬送するサブフレームはサブフレームm後の第４個サブフレームであり、即ち次の無線フレームにおけるサブフレーム２である関係と、サブフレームmがサブフレーム９であれば、フィードバック情報を搬送するサブフレームはサブフレームm後の第１３個サブフレームであり、即ち現在無線フレーム后的第２个無線フレームにおけるサブフレーム２である関係とを含む。
【０１５８】
ここで、フィードバック情報とPDSCHデータ伝送間の時間系列関係はテーブルで示すこともでき、テーブル３を参照する。
【０１５９】
【表３】
0006284590.tif 000004
【０１６０】
ここで、kPDSCH-1は、フィードバック情報とPDSCHデータ伝送間に存在するサブフレーム数を示し、mはPDSCHデータを搬送するサブフレーム・インデックスを示し、m+kPDSCHは、サブフレームm後の第kPDSCH個サブフレームを示す。また、サブフレームmは、サブフレーム０、サブフレーム１、サブフレーム３、サブフレーム４、サブフレーム５、サブフレーム６、サブフレーム７、サブフレーム８及びサブフレーム９のうちの１つである。
【０１６１】
これに応じて、ネットワーク側装置４０は、サブフレームmによりユーザー装置３０へPDSCHデータを送信後に、テーブル３に示すフィードバック情報とPDSCHデータ伝送間の時間系列関係に基づき、無線フレームにおいて、PDSCHデータに対応するフィードバック情報を搬送するサブフレームを確定し、かつ確定したサブフレームによりユーザー装置からのフィードバック情報を受信する。
【０１６２】
本発明の実施例にかかる動的なTDDシステム的ダウンリンクHARQ時間系列関係は、図１０に示すように、本発明の実施例にかかる動的なTDDシステムの後方互換性をサポートするため、即ち可変サブフレームをサポートしないユーザー装置のアクセスを認める。例えばLTE Rel-８/９/１０リリース等のユーザー装置、ネットワーク側装置４０は、特定ユーザー装置（可変サブフレームをサポートしないユーザー装置である）に割り当てるアップリンク・ダウンリンク構成のプロセスから、フィードバック情報とPDSCHデータ伝送間の時間系列関係が含まれるプロセスを選出して特定ユーザー装置に対してスケジューリングする。
【０１６３】
実施において、もしネットワーク側装置４０が特定ユーザー装置に、現在システムがアップリンク・ダウンリンク構成方式#０に設定されていることをブロードキャストすれば、ダウンリンク方向で構成#０であるプロセスには、ただ１つ図１０に示すプロセス７（process ７）が本発明の実施例にかかる動的なTDDシステムと同一な時間系列関係を有するために、ネットワーク側装置４０は、特定ユーザー装置を図１０に示すプロセス７（process ７）にスケジューリングし、即ちサブフレーム６においてPDSCHデータを送信する。これに応じて、次の無線フレームにおけるサブフレーム２において、ユーザー装置３０からのフィードバック情報（ACK/NACKフィードバック）を受信する。
【０１６４】
また、ネットワーク側装置４０が特定ユーザー装置を他のダウンリンクサブフレームにスケジューリングすることを排除するわけではない。従来標準のTDD DL/UL構成０に基づいて得られたアップリンクACK/NACKフィードバック位置がアップリンク伝送として、ユーザー装置３０からのフィードバック情報を正確に受信できれば、採用可能である。例えば、サブフレーム０にスケジューリングし、条件としては、ネットワーク側装置４０がサブフレーム４に対応する可変サブフレームをアップリンク伝送ためのサブフレームとすることである。
【０１６５】
図９に示す通信システムと図３に示す所示的通信システムの機能は、１つの通信システムに集成することができ、アップリンク・ダウンリンクデータの送信が必要である場合、図３に示す通信システムの機能を執行し、アップリンク・ダウンリンクデータの受信が必要である場合、図９に示す通信システムの機能を執行する。
【０１６６】
また、同一の発明思想に基づいて、本発明の実施例は、時分割複信方式にてダウンリンクデータを受信するユーザー装置を提供する。当該ユーザー装置の課題解決原理は図９に示すシステムにおけるユーザー装置と類似するため、当該ユーザー装置の実施は図９に示すシステムにおけるユーザー装置の実施を参照し、これ以上説明しない。
【０１６７】
図１１に示すように、本発明の実施例にかかる時分割複信方式にてダウンリンクデータを受信するユーザー装置は、第２受信モジュール３００と、第２送信モジュール３１０とを備える。
【０１６８】
上記第２受信モジュール３００は、無線フレームにおけるサブフレームmにより、ネットワーク側からのPDSCHデータを受信する。ここで、無線フレームにおけるサブフレーム
０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは、アップリンク、またはダウンリンク伝送ための可変サブフレームであり、かつサブフレームmはPDSCHデータを搬送するダウンリンクサブフレームである。
【０１６９】
サブフレーム７がアップリンクサブフレームであれば、サブフレーム６は特殊サブフレームであり、サブフレーム７がダウンリンクサブフレームであれば、サブフレーム６はダウンリンクサブフレームである。
【０１７０】
上記第２送信モジュール３１０は、フィードバック情報とPDSCHデータ伝送間の時間系列関係に基づき、PDSCHデータに対応するフィードバック情報を搬送するサブフレームを確定し、かつ、確定されたサブフレームによりフィードバック情報を送信する。
【０１７１】
ここで、フィードバック情報とPDSCHデータ伝送間の時間系列関係は、サブフレームmがサブフレーム０であれば、フィードバック情報を搬送するサブフレームがサブフレームm後の第１２個サブフレームである関係と、サブフレームmがサブフレーム１であれば、フィードバック情報を搬送するサブフレームがサブフレームm後の第１１個サブフレームである関係と、サブフレームmがサブフレーム３であれば、フィードバック情報を搬送するサブフレームがサブフレームm後の第９個サブフレームである関係と、サブフレームmがサブフレーム４であれば、フィードバック情報を搬送するサブフレームがサブフレームm後の第８個サブフレームである関係と、サブフレームmがサブフレーム５であれば、フィードバック情報を搬送するサブフレームがサブフレームm後の第７個サブフレームである関係と、サブフレームmがサブフレーム６であれば、フィードバック情報を搬送するサブフレームがサブフレームm後の第６個サブフレームである関係と、サブフレームmがサブフレーム７であれば、フィードバック情報を搬送するサブフレームがサブフレームm後の第５個サブフレームである関係と、サブフレームmがサブフレーム８であれば、フィードバック情報を搬送するサブフレームがサブフレームm後の第４個サブフレームである関係と、サブフレームmがサブフレーム９であれば、フィードバック情報を搬送するサブフレームがサブフレームm後の第１３個サブフレームである関係と、を備える。
【０１７２】
図１１に示すユーザー装置と図５に示すユーザー装置の機能は、１つのユーザー装置に集成することができ、アップリンクデータの送信が必要の場合、図５に示すユーザー装置の機能を執行し、ダウンリンクデータの受信が必要である場合、図１１に示すユーザー装置の機能を執行する。
【０１７３】
また、同一の発明思想に基づいて、本発明の実施例は、時分割複信にてアップリンクデータを受信するネットワーク側装置を提供する。当該ネットワーク側装置の課題解決原理は図８に示すシステムにおけるネットワーク側装置と類似するため、当該ネットワーク側装置の実施は図８に示すシステムにおけるネットワーク側装置の実施を参照ください。これ以上説明しない。
【０１７４】
図１２に示すように、本発明の実施例にかかる時分割複信にてアップリンクデータを受信するネットワーク側装置は、第２確定モジュール４００と、第３受信モジュール４１０とを備える。
【０１７５】
上記第２確定モジュール４００は、フィードバック情報とPDSCHデータ伝送間の時間系列関係に基づき、無線フレームにおいて、PDSCHデータに対応するフィードバック情報を搬送するサブフレームを確定する。ここで、無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは、アップリンク、またはダウンリンク伝送ための可変サブフレームであり、かつサブフレームmはダウンリンクサブフレームである。
【０１７６】
サブフレーム７がアップリンクサブフレームであれば、サブフレーム６は、特殊サブフレームであり、サブフレーム７がダウンリンクサブフレームであれば、サブフレーム６は、ダウンリンクサブフレームである。
【０１７７】
第３受信モジュール４１０は、確定されたサブフレームによりユーザー装置からのフィードバック情報を受信する。
【０１７８】
ここで、フィードバック情報とPDSCHデータ伝送間の時間系列関係は、PDSCHデータを搬送するサブフレームがサブフレーム０であれば、PDSCHデータに対応するフィードバック情報を搬送するサブフレームがPDSCHデータを搬送するサブフレーム後の第１２個サブフレームである関係と、PDSCHデータを搬送するサブフレームがサブフレーム１であれば、PDSCHデータに対応するフィードバック情報を搬送するサブフレームがPDSCHデータを搬送するサブフレーム後の第１１個サブフレームである関係と、PDSCHデータを搬送するサブフレームがサブフレーム３であれば、PDSCHデータに対応するフィードバック情報を搬送するサブフレームがPDSCHデータを搬送するサブフレーム後の第９個サブフレームである関係と、PDSCHデータを搬送するサブフレームがサブフレーム４であれば、PDSCHデータに対応するフィードバック情報を搬送するサブフレームがPDSCHデータを搬送するサブフレーム後の第８個サブフレームである関係と、PDSCHデータを搬送するサブフレームがサブフレーム５であれば、PDSCHデータに対応するフィードバック情報を搬送するサブフレームがPDSCHデータを搬送するサブフレーム後の第７個サブフレームである関係と、PDSCHデータを搬送するサブフレームがサブフレーム６であれば、PDSCHデータに対応するフィードバック情報を搬送するサブフレームがPDSCHデータを搬送するサブフレーム後の第６個サブフレームである関係と、PDSCHデータを搬送するサブフレームがサブフレーム７であれば、PDSCHデータに対応するフィードバック情報を搬送するサブフレームがPDSCHデータを搬送するサブフレーム後の第５個サブフレームである関係と、PDSCHデータを搬送するサブフレームがサブフレーム８であれば、PDSCHデータに対応するフィードバック情報を搬送するサブフレームがPDSCHデータを搬送するサブフレーム後の第４個サブフレームである関係と、PDSCHデータを搬送するサブフレームがサブフレーム９であれば、PDSCHデータに対応するフィードバック情報を搬送するサブフレームがPDSCHデータを搬送するサブフレーム後の第１３個サブフレームである関係とを含む。
【０１７９】
本発明の実施例にかかるネットワーク側装置後方交換性をサポートするために、当該ネットワーク側装置は、特定ユーザー装置に割り当てるアップリンク・ダウンリンク構成のプロセスから、フィードバック情報とPDSCHデータ伝送間の時間系列関係が含まれるプロセスを選出して、特定ユーザー装置に対してスケジューリングする第２交換モジュール４２０をさらに備える。
【０１８０】
ここで、特定ユーザー装置は、可変サブフレームをサポートしないユーザー装置である。
【０１８１】
図１２に示すネットワーク側装置と図６に示すネットワーク側装置の機能は、１つのネットワーク側装置に集成でき、ダウンリンクデータの送信が必要であれば、図６に示すネットワーク側装置の機能を執行し、アップリンクデータの受信が必要であれば、図１２に示すユーザー装置の機能を執行する。
【０１８２】
また、同一の発明思想に基づいて、本発明の実施例は、時分割複信方式にてダウンリンクデータを受信する方法を提供する。当該方法の課題解決原理は図８に示すシステムにおけるユーザー装置と類似するため、当該方法の実施は図８に示すシステムにおけるユーザー装置の実施を参照ください。これ以上説明しない。
【０１８３】
図１３に示すように、本発明の実施例にかかる時分割複信方式にてダウンリンクデータを受信する方法は、ステップ１３０１と、ステップ１３０２とを備える。
【０１８４】
ステップ１３０１において、ユーザー装置無線フレームにおけるサブフレームmにより、ネットワーク側からのPDSCHデータを受信し、其中無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは可変サブフレームであり、且つサブフレームmはダウンリンクサブフレームである。
【０１８５】
サブフレーム７がアップリンクサブフレームであれば、サブフレーム６は特殊サブフレームであり、サブフレーム７がダウンリンクサブフレームであれば、サブフレーム６はダウンリンクサブフレームである。
【０１８６】
ステップ１３０２において、ユーザー装置は、フィードバック情報とPDSCHデータ伝送間の時間系列関係に基づき、PDSCHデータに対応するフィードバック情報を搬送するサブフレームを確定し、かつ、確定されたサブフレームによりフィードバック情報を送信する。
【０１８７】
ここで、フィードバック情報とPDSCHデータ伝送間の時間系列関係は、PDSCHデータを搬送するサブフレームがサブフレーム０であれば、フィードバック情報を搬送するサブフレームがPDSCHデータを搬送するサブフレーム後の第１２個サブフレームである関係と、PDSCHデータを搬送するサブフレームがサブフレーム１であれば、フィードバック情報を搬送するサブフレームがPDSCHデータを搬送するサブフレーム後の第１１個サブフレームである関係と、PDSCHデータを搬送するサブフレームがサブフレーム３であれば、フィードバック情報を搬送するサブフレームがPDSCHデータを搬送するサブフレーム後の第９個サブフレームである関係と、PDSCHデータを搬送するサブフレームがサブフレーム４であれば、フィードバック情報を搬送するサブフレームがPDSCHデータを搬送するサブフレーム後の第８個サブフレームである関係と、PDSCHデータを搬送するサブフレームがサブフレーム５であれば、フィードバック情報を搬送するサブフレームがPDSCHデータを搬送するサブフレーム後の第７個サブフレームである関係と、PDSCHデータを搬送するサブフレームがサブフレーム６であれば、フィードバック情報を搬送するサブフレームがPDSCHデータを搬送するサブフレーム後の第６個サブフレームである関係と、PDSCHデータを搬送するサブフレームがサブフレーム７であれば、フィードバック情報を搬送するサブフレームがPDSCHデータを搬送するサブフレーム後の第５個サブフレームである関係と、PDSCHデータを搬送するサブフレームがサブフレーム８であれば、フィードバック情報を搬送するサブフレームがPDSCHデータを搬送するサブフレーム後の第４個サブフレームである関係と、PDSCHデータを搬送するサブフレームがサブフレーム９であれば、フィードバック情報を搬送するサブフレームがPDSCHデータを搬送するサブフレーム後の第１３個サブフレームである関係とを備える。
【０１８８】
図１３と図８は、１つのフローチャートに集成して、ダウンリンク通信の方法になる。ダウンリンクデータの送信が必要である場合、ステップ８０１と８０２を実行し、ダウンリンクデータの受信が必要である場合、ステップ１３０１と１３０２を実行する。
【０１８９】
また、同一の発明思想に基づいて、本発明の実施例は、時分割複信方式でアップリンクデータを受信する方法を提供する。当該方法の課題解決原理は図９に示すシステムにおけるネットワーク側装置と類似するため、当該方法の実施は図９に示すシステムにおけるネットワーク側装置の実施を参照ください。
【０１９０】
図１４に示すように、本発明の実施例にかかる時分割複信方式でアップリンクデータを受信する方法は、ステップ１４０１と、ステップ１４０１とを備える。
【０１９１】
ステップ１４０１において、ネットワーク側は、フィードバック情報とPDSCHデータ伝送間の時間系列関係に基づき、無線フレームにおいて、PDSCHデータに対応するフィードバック情報を搬送するサブフレームを確定し、其中無線フレームにおけるサブフレーム０及びサブフレーム５は、ダウンリンク固定サブフレームであり、サブフレーム２は、アップリンク固定サブフレームであり、サブフレーム１は、特殊サブフレームであり、サブフレーム６は、特殊サブフレームまたはダウンリンクサブフレームであり、他のサブフレームは、アップリンク、またはダウンリンク伝送ための可変サブフレームである。
【０１９２】
サブフレーム７がアップリンクサブフレームであれば、サブフレーム６は特殊サブフレームであり、サブフレーム７がダウンリンクサブフレームであれば、サブフレーム６はダウンリンクサブフレームである。
【０１９３】
ステップ１４０２において、ネットワーク側は、確定されたサブフレームによりユーザー装置からのフィードバック情報を受信する。
【０１９４】
ここで、フィードバック情報とPDSCHデータ伝送間の時間系列関係は、PDSCHデータを搬送するサブフレームがサブフレーム０であれば、PDSCHデータに対応するフィードバック情報を搬送するサブフレームがPDSCHデータを搬送するサブフレーム後の第１２個サブフレームである関係と、PDSCHデータを搬送するサブフレームがサブフレーム１であれば、PDSCHデータに対応するフィードバック情報を搬送するサブフレームがPDSCHデータを搬送するサブフレーム後の第１１個サブフレームである関係と、PDSCHデータを搬送するサブフレームがサブフレーム３であれば、PDSCHデータに対応するフィードバック情報を搬送するサブフレームがPDSCHデータを搬送するサブフレーム後の第９個サブフレームである関係と、PDSCHデータを搬送するサブフレームがサブフレーム４であれば、PDSCHデータに対応するフィードバック情報を搬送するサブフレームがPDSCHデータを搬送するサブフレーム後の第８個サブフレームである関係と、PDSCHデータを搬送するサブフレームがサブフレーム５であれば、PDSCHデータに対応するフィードバック情報を搬送するサブフレームがPDSCHデータを搬送するサブフレーム後の第７個サブフレームである関係と、PDSCHデータを搬送するサブフレームがサブフレーム６であれば、PDSCHデータに対応するフィードバック情報を搬送するサブフレームがPDSCHデータを搬送するサブフレーム後の第６個サブフレームである関係と、PDSCHデータを搬送するサブフレームがサブフレーム７であれば、PDSCHデータに対応するフィードバック情報を搬送するサブフレームがPDSCHデータを搬送するサブフレーム後の第５個サブフレームである関係と、PDSCHデータを搬送するサブフレームがサブフレーム８であれば、PDSCHデータに対応するフィードバック情報を搬送するサブフレームがPDSCHデータを搬送するサブフレーム後の第４個サブフレームである関係と、PDSCHデータを搬送するサブフレームがサブフレーム９であれば、PDSCHデータに対応するフィードバック情報を搬送するサブフレームがPDSCHデータを搬送するサブフレーム後の第１３個サブフレームである関係とを備える。
【０１９５】
本発明の実施例にかかる時分割複信方式でアップリンクデータを受信する方法は、ネットワーク側が、特定ユーザー装置に割り当てるアップリンク・ダウンリンク構成のプロセスから、フィードバック情報とPDSCHデータ伝送間の時間系列関係が含まれるプロセスを選出して特定ユーザー装置に対してスケジューリングする。
【０１９６】
ここで、特定ユーザー装置は、可変サブフレームをサポートしないユーザー装置である。
【０１９７】
図１４と図７は、１つフローチャートにして１つのアップリンク通信方法を構成することができる。アップリンクデータを送信する必要がある場合、ステップ７０１と７０２を執行し、アップリンクデータを受信する必要がある場合、ステップ１４０１と１４０２を執行する。
【０１９８】
もちろん、図７、図８、図１３及び図１４も１つフローチャートにしてアップリンク・ダウンリンク通信方法を構成することもできる。アップリンクデータを送信する必要がある場合、ステップ７０１と７０２を執行し、ダウンリンクデータを送信する必要がある場合、ステップ８０１と８０２を執行し、ダウンリンクデータを受信する必要がある場合、ステップ１３０１と１３０２を執行し、アップリンクデータを受信する必要がある場合、ステップ１４０１と１４０２を執行する。
【０１９９】
本発明にかかる好ましい実施例を説明したが、当該分野の技術者が基本進歩性の概念をした後、これらの実施例に対して他の変更及び修正を行うことができるため、請求の範囲は、好ましい実施例及び本発明範囲に属する全ての変更及び修正を含む。
【０２００】
本発明の実施例にかかるアップリンクHARQ時間系列関係において、ユーザー装置は、無線フレームにおけるサブフレームnによりネットワーク側からの指示情報を受信し、指示情報に基づいてネットワーク側へPUSCHデータを送信する必要があると確定する場合、サブフレームnの後ろの少なくとも１つのアップリンクサブフレームによりPUSCHデータを送信する。本発明の実施例にかかるダウンリンクHARQ時間系列関係において、ユーザー装置は、無線フレームにおけるサブフレームmにより、ネットワーク側からのPDSCHデータを受信し、フィードバック情報とPDSCHデータ伝送間の時間系列関係に基づいて、PDSCHデータに対応するフィードバック情報を搬送するサブフレームを確定し、かつ、確定されたサブフレームによりフィードバック情報を送信する。これにより、従来技術において、動的なアップリンク・ダウンリンク構成のHARQ時間系列関係が確立されていない問題を解決し、動的なTDDシステムがアップリンク及びダウンリンクデータを伝送できるようにする。
【０２０１】
本分野の技術者として、本発明の実施形態が、方法、システムまたはいはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０２０２】
以上は本発明の実施形態の方法、装置（システム）、及びコンピュータプログラム製品のフロー図及び／またはブロック図によって、本発明を記述した。理解すべきことは、コンピュータプログラム指令によって、フロー図及び／またはブロック図における各フロー及び／またはブロックと、フロー図及び／またはブロック図におけるフロー及び／またはブロックの結合を実現できる。プロセッサはこれらのコンピュータプログラム指令を、汎用コンピュータ、専用コンピュータ、組込み式処理装置、またはいは他のプログラム可能なデータ処理装置設備の処理装置器に提供でき、コンピュータまたはいは他のプログラム可能なデータ処理装置のプロセッサは、これらのコンピュータプログラム指令を実行し、フロー図における一つまたはいは複数のフロー及び／またはブロック図における一つまたはいは複数のブロックに指定する機能を実現する。  
【０２０３】
これらのコンピュータプログラム指令は又、コンピュータまたはいは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つまたは複数のフロー及び／またはブロック図における１つまたは複数のブロックに指定する機能を実現する。
【０２０４】
これらコンピュータプログラム指令はさらに、コンピュータまたはいは他のプログラム可能なデータ処理装置設備に実装もできる。コンピュータプログラム指令が実装されたコンピュータまたはいは他のプログラム可能設備は、一連の操作ステップを実行することによって、関連の処理を実現し、コンピュータまたはいは他のプログラム可能な設備において実行される指令によって、フロー図における一つまたは複数のフロー及び／またはブロック図における一つまたはいは複数のブロックに指定する機能を実現する。
【０２０５】
上述した実施形態に記述された技術的な解決手段を改造し、またはいはその中の一部の技術要素を置換することもできる。そのような、改造と置換は本発明の各実施形態の技術の範囲から逸脱するとは見なされない。
【０２０６】
無論、当業者によって、上述した実施形態に記述された技術的な解決手段を改造し、またはいはその中の一部の技術要素を置換することもできる。そのような、改造と置換は本発明の各実施形態の技術の範囲から逸脱するとは見なされない。そのような改造と置換は、すべて本発明の請求の範囲に属する。
【０２０７】
本出願は、２０１２年３月２３日に中国特許局に提出し、出願番号が２０１２１００８００８５.Ｘであり、発明名称が「時分割複信通信の方法、システム及び装置」との中国特許出願を基礎とする優先権を主張し、その開示の総てをここに取り込む。
【図１】
0006284590.tif 000005
【図２Ａ】
0006284590.tif 000006
【図２Ｂ】
0006284590.tif 000007
【図３】
0006284590.tif 000008
【図４】
0006284590.tif 000009
【図５】
0006284590.tif 000010
【図６】
0006284590.tif 000011
【図７】
0006284590.tif 000012
【図８】
0006284590.tif 000013
【図９】
0006284590.tif 000014
【図１０】
0006284590.tif 000015
【図１１】
0006284590.tif 000016
【図１２】
0006284590.tif 000017
【図１３】
0006284590.tif 000018
【図１４】
0006284590.tif 000019